(57)【要約】【課題】  作業環境の悪い場所での昆虫の捕獲作業や長時間にわたる捕獲作業を自動的に行い、昆虫の捕獲作業の無人化を図り、作業者の負担の軽減と安全確保を図る。消費電力が小さく、持ち運びが簡単で家庭用電源がない場所でも昆虫の捕獲が確実にできる捕獲装置を提供する。【解決手段】コンピュータ等の制御装置を用い、誘引光源や捕虫容器の制御を行い各種捕獲条件に対応した昆虫の捕獲作業を自動的に行う。光源には、発光ダイオード又はブラックライトを用い、電源には、太陽光発電で充電が可能な蓄電池又は電池を用いる。捕虫容器４は、内部にグリセリン又は粘着剤を満たし又は塗り又は粘着テープを貼り、誘引路による昆虫の誘引効果を加え、確実な捕獲が可能となっている。【選択図】図１
0003114306.tif 000002
【実用新案登録請求の範囲】
【請求項１】
昆虫の捕獲開始時間と捕獲終了時間と捕獲間隔時間の設定と誘引光源の点灯時間と誘引光源の消灯時間と誘引光源の回転と捕虫容器の移動と位置を制御する制御装置と、発光ダイオード、ブラックライトを用いた誘引光源と、容器内に粘着剤を満たし又は塗り又は粘着テープを貼った光を透過する捕虫容器と、電気使用部品に必要な電源とを有する捕虫装置。
【請求項２】
請求項１に記載の捕虫装置において、制御装置として、コンピュータ又は有接点リレー又は無接点リレーを用い、各種捕獲条件に対応して自動的に昆虫の捕獲ができることを特徴とする捕虫装置。
【請求項３】
請求項１又は２に記載の捕虫装置において、誘引光源として、上部誘引光源と下部誘引光源を有し、光源として、フルカラー発光ダイオード、高輝度発光ダイオード、紫外線発光ダイオード、ブラックライト等を少なくとも一種類以上用いたことを特徴とする捕虫装置。
【請求項４】
請求項１ないし３のうちいずれか１項に記載の捕虫装置において、捕虫容器として、光を透過する透明又は半透明のガラスやプラスチック容器を１個以上用い、直線運動又は回転運動機構を有することを特徴とする捕虫装置。
【請求項５】
請求項１ないし４のうちいずれか１項に記載の捕虫装置において、円錐、四角錐、多角錘等の形をした捕虫容器側につばを持った取り外し可能な誘引路を有することを特徴とする捕虫装置。
【請求項６】
請求項１ないし５のうちいずれか１項に記載の捕虫装置において、電源として、蓄電池又は電池を用い、太陽光発電で充電することができることを特徴とする捕虫装置。
【考案の詳細な説明】
【技術分野】
【０００１】
本考案は、制御装置を備えた昆虫を自動的に捕獲する捕虫装置に関し、詳しくは、コンピュータ等の制御装置で捕獲時間の開始時間及び終了時間と捕獲間隔時間と誘引光源の点灯時間及び消灯時間と誘引光源の回転と捕虫容器の移動及び停止位置の制御を行い、各種捕獲条件に対応して自動的に昆虫の捕獲を行う。誘引光源にフルカラー発光ダイオード、高輝度発光ダイオード、紫外線ダイオード、ブラックライトを一種類以上用い、電源に太陽光発電で充電できる蓄電池又は電池を用い、制御装置を備えた作業環境の悪いところでも昆虫の捕獲作業が簡単にできる持ち運びが可能な捕虫装置に関する。
【背景技術】
【０００２】
従来から、ＬＥＤを用いた捕虫器としては、誘引光源に可視光や紫外線を発するＬＥＤを用いたものや発光波長範囲が約３３０ｎｍから４００ｎｍの単色光のＬＥＤをもちいた特許文献１や特許文献２に開示されているものがある。
【特許文献１】特開平２００３ー７０４０２（Ｐ２００３−７０４０２Ａ）    （照明器具及び捕虫装置）
【特許文献２】特開平２００１ー２７１２１７（Ｐ２００１−２７１２１７）（捕虫器）
【考案の開示】
【考案が解決しようとする課題】
【０００３】
しかし、従来の技術では、誘引光源や捕獲方法の発明であり、各種捕獲条件に対応した昆虫の捕獲を自動的に行う上で問題点があった。
そこで、本考案は、各種捕獲条件に対応した昆虫の捕獲作業を自動的に行うための制御装置と捕獲する昆虫の種類によって光源の種類を変えられる誘引光源と、昆虫の形態を損傷することなく確実に捕獲する捕虫容器と、昆虫を捕虫容器に誘引する取り外しのできる誘引路と、作業環境の悪い山間部又は市街地から離れた地点での捕獲作業に対応できる電源を備えた昆虫の捕獲装置を提案することを目的とした。
【課題を解決するための手段】
【０００４】
この課題を解決するために、本考案は、捕獲開始時間及び終了時間と捕獲時間帯よ誘引光源の回転と捕虫容器の移動及び停止位置を昆虫の捕獲条件に応じて設定できる制御装置と、フルカラー発光ダイオード、高輝度発光ダイオード、紫外線発光ダイオード、ブラックライトを１種類以上用いた誘引光源と、容器内面にグリセリン又は粘着剤を満たし又は塗り又は粘着テープを貼った捕虫容器と、昆虫を捕虫容器に誘引する誘引路と、家庭用電源が得られないところで使用できる太陽光発電で充電が可能な蓄電池又は電池を用いた電源を備えたことを特徴とする。
【考案の効果】
【０００５】
本考案により、昆虫の各種捕獲条件に対応した捕獲作業を自動的に行うことができ、捕獲作業の自動化及び無人化を図ることが可能である。その結果、湖又は沼など作業環境の悪い場所又は山間部の猛獣等が出没する危険な場所又は昆虫の捕獲作業が長時間にわたる場合等の作業者の負担の軽減と安全確保を図ることが可能である。また、誘引光源にフルカラー発光ダイオード、高輝度発光ダイオード、紫外線発光ダイオード、ブラックライトを用い、それらを使い分けることにより多くの種類の昆虫の捕獲に対応できる。また、充電機能を備えた蓄電池又は電池により山間部や市街地などの家庭電源が得られないところでの昆虫の捕獲作業が可能である。
【考案を実施するための最良の形態】
【０００６】
以下、図に基づいて本考案の実施形態を説明する。
図１は、本考案に係わる捕虫装置全体図である。図において、１は装置本体である。
本体には、上部誘引光源２と下部誘引光源３と捕虫容器４が取り付けられており、上部誘引光源２を回転させる上部誘引光源回転機構５と上下位置スライド支柱２０と複数の捕虫容器４を取り付ける捕虫容器保持具６と捕虫容器４を移動させる捕虫容器移動機構７を備えている。上部誘引光源２及び下部誘引光源３は、表面が照射効率を高めるカバーで覆われている。８は、昆虫を捕虫容器に導く誘引路である。
９は捕虫装置を制御する制御装置、３２は制御回路、１０は、電源装置である。
【０００７】
捕虫容器４は、光を透過する透明な容器や半透明な容器を用い、容器内にグリセリンまたは粘着剤を満たし又は塗り又は粘着テープを貼ったりして、昆虫の形態の損傷がない確実な捕獲を可能にしたものである。
【０００８】
制御装置９は、コンピュータ等で捕虫装置全体を制御するものであり、捕獲時間の開始時間及び終了時間と、捕獲間隔時間と、誘引光源の点灯時間及び消灯時間と、誘引光源の回転と、捕虫容器の移動及び停止位置の制御を捕獲条件に対応して自由に設定できることを可能にしたものである。
【０００９】
電源１０は、太陽光発電１７による充電機能を備えた蓄電池１８又は電池１９であり、自由に持ち運びができ山間部など家庭電源のない場所での捕獲を可能にしたものである。
【００１０】
図２は、上部誘引光源２と上部誘引光源回転機構５、上下位置用スライド支柱２０の図である。誘引光源として、フルカラー発光ダイオード１１、高輝度発光ダイオード１２、紫外線発光ダイオード１３を複数個又はブラックライト３１を用い、それぞれ単独又は複合して使用し捕獲する昆虫の種類による誘引光源の使い分けをすることができる。
【００１１】
また、モータ２１で回転する上部誘引光源回転機構５と上下位置用スライド支柱２０が備えられており上部誘引光源を回転移動させることと上下位置の調整を可能にしたものである。その結果、周囲への光源の均等照射と誘引光源の位置の調整が可能となる。
【００１２】
図３は、下部誘引光源３と誘引路８の図である。下部誘引光源は、高輝度発光ダイオード１４、フルカラー発光ダイオード１５、紫外線発光ダイオード１６から１種類以上の発光ダイオードを複数個用いている。１４・１５・１６は捕虫容器４の下部近くに上方又は斜め上方に向けて取り付けられている。
【００１３】
その結果、上部誘引光源と同様に捕虫する虫の種類によって光源の使い分けを可能にしたものである。
【００１４】
また、誘引路１８と下部誘引光源３によって昆虫が捕虫容器４内に導かれ、昆虫の捕獲効率が上がるようになっている。
【００１５】
図４は、捕虫容器保持具６に捕虫容器４を４個固定した図である。捕虫容器は、モータ２２によって回転移動させることが可能となっている。
【００１６】
また、リミットスイッチなどのセンサ２３で停止位置を決める機構を備えている。
なお、捕虫容器の数は、１個以上なら４個以外でもよく、移動方向は、直線移動でもよい。
【００１７】
図5は、制御装置９としてプログラマブルコントローラ（ＰＣ）２４を用いた制御回路図である。タイマー２５は捕虫開始時間設定用タイマー、リレー２６は上部誘引光源回転用モータ２１制御用、リレー２７は捕虫容器移動用モータ２２制御用、リレー２８は上部誘引光源２の点灯時間制御用、リレー２９は下部誘引光源３の点灯時間制御用のリレーである。センサ２３は、捕虫容器の各停止位置検出用である。
【００１８】
スタートスィッチ３０が入った後、タイマー２５で設定した捕虫開始時間になるとＰＣ２４に電源が入る。次に、ＰＣ２４から捕虫容器移動用制御リレー２７に信号を出力し、捕虫容器移動用モータ２２を回転する。最初の捕虫容器４が上部誘引光源２の下の捕獲位置まで来ると位置センサ２３の信号がＰＣに入力され、リレー２７に出力された信号が切れ、モータ２２が停止する。
【００１９】
次に、上部誘引光源回転制御用リレー２６と上部誘引光源２の点灯時間制御用リレー２８と下部誘引光源３の点灯時間制御用リレー２９に信号を出力し、上部誘引光源２の回転と上部誘引光源２の点灯と下部誘引光源３の点灯を同時に行い、第１回目の捕獲作業を行う。プログラムで設定された設定時間経過後、リレー２６とリレー２８とリレー２９に出力された信号が切れ、上部誘引光源２の回転の停止と上部誘引光源２及び下部誘引光源３が消灯し１回目の作業が終了する。
【００２０】
その後、２回目の捕獲時間になると、ＰＣ２４から捕虫容器移動用制御リレー２７に信号を再び出力し、捕虫容器移動用モータ２２を回転する。２番目の捕虫容器４が上部誘引光源２の下の捕獲位置まで来ると位置センサ２３の信号がＰＣに入力され、リレー２７に出力された信号が切れ、モータ２２が停止する。以下、１回目と同様な動作を行い、４回目の捕獲作業が終了後停止し、捕獲作業を終了する。
【産業上の利用可能性】
【００２１】
本考案に係わる装置は、川又は湖又は沼などの環境調査又は昆虫の生態調査又は新種調査に利用することが可能である。工業的に量産することが可能であるため、産業上の利用可能性を有する。
【図面の簡単な説明】
【００２２】
【図１】捕虫装置の全体図である。
【図２】上部誘引光源２と上部誘引光源回転機構５、上下位置用スライド支柱２０の図である。
【図３】下部誘引光源３と誘引路８の図である。
【図４】捕虫容器保持具６に捕虫容器４を４個固定した図である。
【図５】制御装置にプログラマブルコントローラ２４を用いた制御回路図の全体図である。
【符号の説明】
【００２３】
１    装置本体 
２    上部誘引光源
３    下部誘引光源
４    捕虫容器
５    上部誘引光源回転機構
６    捕虫容器保持具
７    捕虫容器移動機構
８    誘引路
９    制御装置
１０    電源装置
１１    フルカラー発光ダイオード
１２    高輝度発光ダイオード
１３    紫外線発光ダイオード
１４    高輝度発光ダイオード
１５    フルカラー発光ダイオード
１６    紫外線発光ダイオード
１７    太陽光発電
１８    蓄電池
１９    電池
２０    上下位置スライド支柱
２１    モータ
２２    モータ
２３    センサ
２４    プログラマブルコントローラ
２５    タイマー
２６    リレー
２７    リレー
２８    リレー
２９    リレー
３０    スタートスイッチ
３１    ブラックライト
３２    制御回路
【図１】
0003114306.tif 000003
【図２】
0003114306.tif 000004
【図３】
0003114306.tif 000005
【図４】
0003114306.tif 000006
【図５】
0003114306.tif 000007